【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
ほぼ平行六面体状の製品の周囲に管状被包を形成する折り畳み方法であって、長手軸線（１７）を有しかつ該長手軸線（１７）に平行な第１及び第２の側壁（１９、１８）を備えているＵ型ポケット（１６）内に、製品（５）を被包材料シート（４）と共に挿入して被包材料シートの第１の側方部分（４２）が製品（５）と該第１の側壁（１９）間に挟まれると共に被包材料シートの第１の側方部分とは反対側の第２の側方部分がポケット（１６）の外側にかつポケット（１６）を越えつつ第１の側方部分（４２）と交差して折り畳まれるように、被包材料シート（４）を折り畳む段階を含む方法において、該方法が更に、一時的部材（３４）を前記ポケット（１６）外の休止位置から第１の側方部分（４２）に接触する作業位置に移動させることによって、前記第１の側方部分（４２）を製品（５）上に折り畳まれた状態に同時に保持しつつ、前記第１の側壁（１９）を製品（５）に接触する閉位置から前記ポケット（１６）が開いている開位置に移動させ、次いで、外部の折り畳み部材（４０）をポケット（１６）に挿入することによって、前記第２の側方部分（４７）を製品（５）上に折り畳んで第１の側方部分（４２）に重なるようにし、前記第１の側壁（１９）を閉位置に戻すと共に前記一時的部材（３４）を前記休止位置に戻し、前記外部の折り畳み部材（４０）をポケット（１６）から引き抜く、各段階を含む方法。
【請求項２】
前記長手軸線（１７）に平行な第１の軸線（２７）回りに第１の側壁（１９）を振動させることによって、前記第１の側壁（１９）が前記開位置と前記閉位置との間を移動される、請求項１に記載の方法。
【請求項３】
前記長手軸線（１７）に平行な第２の軸線（２１）回りに一時的部材（３４）を振動させることによって、前記一時的部材（３４）が前記休止位置と前記作業位置との間を移動される、請求項１又は２に記載の方法。
【請求項４】
前記第１の側壁（１９）が前記閉位置から前記開位置に移動することによって前記一時的部材（３４）が前記休止位置から前記作業位置に移動され、前記第１の側壁（１９）が前記開位置から前記閉位置に移動することによって前記一時的部材（３４）が前記作業位置から前記休止位置に移動される、請求項１から３までの何れか一項に記載の方法。
【請求項５】
製品（５）及び関連する被包材料シート（４）をポケット（１６）内に挿入する前記段階の間に、前記ポケット（１６）を開ける開位置と前記ポケット（１６）を閉じる閉位置との間を前記第２の側壁（１８）が移動される、請求項１から４までの何れか一項に記載の方法。
【請求項６】
前記第２の側壁（１８）を前記第２の軸線（２１）回りに振動させることによって、前記第２の側壁（１８）が前記開位置と前記閉位置との間を移動される、請求項３又は５に記載の方法。
【請求項７】
更に、前記第１及び第２の側方部分（４２、４７）を互いに接続する接続段階を含む、請求項１から６までの何れか一項に記載の方法。
【請求項８】
前記接続段階がヒートシールを行う段階である、請求項７に記載の方法。
【請求項９】
前記接続段階が、前記第１及び第２の側方部分（４２、４７）のうちの少なくとも一方に付着されたホットメルト接着剤を溶かすことによって行われる接着段階である、請求項７に記載の方法。
【請求項１０】
前記接続段階が、前記第１の側壁（１９）に担持された加熱手段（２９）によって行われる、請求項７又は８に記載の方法。
【請求項１１】
折り畳み部署（３６）を通って延びる無限経路（Ｐ）に沿って前記ポケット（１６）を送るよう連続的に回転する被包ホイール（７）の一部をポケット（１６）が形成しており、前記ポケット（１６）が前記折り畳み部署（３６）を通って移動するときに前記外部の折り畳み部材（４０）がポケット（１６）内に挿入される、請求項１から１０までの何れか一項に記載の方法。
【請求項１２】
前記経路（Ｐ）が円形経路である、請求項１１に記載の方法。
【請求項１３】
ほぼ平行六面体状の製品の周囲の管状被包を側方において閉じるための装置であって、該装置（１）が、長手軸線（１７）を有しかつ該長手軸線（１７）に平行な第１及び第２の側壁（１９、１８）を備えているＵ型ポケット（１６）を具備し、該ポケット（１６）は、被包材料シート（４）を挟みつつ製品（５）を受容し、該被包材料シート（４）は、製品（５）と該第１の側壁（１９）間に挟まれた第１の側方部分（４２）と、第１の側方部分とは反対側の第２の側方部分（４７）であって、ポケット（１６）の外側にかつポケット（１６）を越えつつ第１の側方部分（４２）と交差する第２の側方部分（４７）とを備えている装置において、前記ポケット（１６）を閉じる閉位置と前記ポケット（１６）を開ける開位置との間を前記第１の側壁（１９）が移動可能であり、該装置（１）が、前記第１の側壁（１９）が開位置にあるときに前記ポケット（１６）内の前記第２の側方部分（４７）に係合して前記第１の側方部分（４２）に重なる位置に該第２の側方部分（４７）を挿入するための外部の折り畳み部材（４０）と、前記ポケット（１６）外の休止位置と、前記第１の側壁（１９）が開位置にあるときに前記第１の部分（４２）を前記製品（５）上に折り畳まれた状態に保持する前記ポケット（１６）内の作業位置との間を移動可能な一時的部材（３４）とを備えている、装置。
【請求項１４】
前記一時的部材（３４）が前記休止位置まで移動し該休止位置から移動するのに対応して前記第１の側壁（１９）が前記閉位置まで移動し該閉位置から移動するように、前記第１の側壁（１９）が前記一時的部材（３４）に接続されている、請求項１３に記載の装置。
【請求項１５】
前記第１の側壁（１９）が動力付き壁であり、前記一時的部材（３４）が前記第１の側壁（１９）によって作動される、請求項１３又は１４に記載の装置。
【請求項１６】
更に、前記ポケット（１６）を支持する支持部材（１１）を備え、前記長手軸線（１７）に平行な第１の軸線（２７）回りに前記支持部材（１１）に対し振動させることによって前記開位置と前記閉位置との間を移動するように、前記第１の側壁（１９）が前記支持部材（１１）に装着されている、請求項１３から１５までの何れか１つの記載の装置。
【請求項１７】
更に、前記ポケット（１６）を支持する支持部材（１１）を備え、前記長手軸線（１７）に平行な第２の軸線（２１）回りに前記支持部材（１１）に対し振動させることによって前記休止位置と前記作業位置との間を移動するように、前記一時的部材（３４）が前記支持部材（１１）に装着されている、請求項１３から１６までの何れか一項に記載の装置。
【請求項１８】
更に、第１及び第２のアーム（２５、３０）を備えたロッカーアーム（２６）を具備し、該第１のアーム（２５）が前記第１の側壁（１９）を画定し、該第２のアーム（３０）が該ロッカーアーム（２６）を前記一時的部材（３４）に接続するアームである、請求項１３から１７までの何れか一項に記載の装置。
【請求項１９】
前記第１及び第２のアーム（２５、３０）が互いにほぼ垂直である、請求項１８に記載の装置。
【請求項２０】
更に、前記第２の軸線（２１）回りに振動するよう前記支持部材（１１）に装着されたリンク（３３）を備え、前記一時的部材（３４）が該リンク（３３）の自由端と一体であり、該リンク（３３）がスロット（３２）を有し、該スロット（３２）に係合して該スロット（３２）内を横断方向に摺動するピン（３１）を前記第２のアーム（３０）が有する、請求項１７から１９までの何れか一項に記載の装置。
【請求項２１】
前記ポケット（１６）を開ける開位置と前記ポケット（１６）を閉じる閉位置との間を支持部材（１１）に対して移動するように、前記第２の側壁（１８）が前記支持部材（１１）に装着されている、請求項１６から２０までの何れか一項に記載の装置。
【請求項２２】
前記第２の軸線（２１）回りに支持部材（１１）に対して振動するように、前記第２の側壁（１８）が前記支持部材（１１）に装着されている、請求項１７又は２１に記載の装置。
【請求項２３】
前記ポケット（１６）が端壁（１５）を備え、前記第１及び第２の側壁（１９、１８）間において該端壁（１５）を引っ込み位置と引き出し位置間を移動させるために押圧手段（１３）が設けられ、前記第２の軸線（２１）回りの前記第２の側壁（１８）の角度位置を制御するためにカム手段（２４）が該押圧手段（１３）に装着されている、請求項２１又は２２に記載の装置。
【請求項２４】
更に、前記ポケット（１６）を無限経路（Ｐ）に沿って送るよう連続的に回転する被包ホイール（７）を備え、折り畳み部署（３６）が前記経路（Ｐ）に沿って配置されると共に前記折り畳み部材（４０）を備えている、請求項１３から２３までの何れか一項に記載の装置。
【請求項２５】
前記折り畳み部署（３６）が、前記被包ホイール（７）に平行なディスク（３７）であって前記経路（Ｐ）の外側に前記長手軸線（１７）に平行に配置された対応する回転軸線（３８）回りに連続的に回転するディスク（３７）と、該回転軸線（３８）に平行で該回転軸線（３８）に対し偏心しつつ前記折り畳み部材（４０）を支持するシャフト（３９）とを備え、該シャフト（３９）が対応する軸線回りに振動して前記折り畳み部材（４０）を前記ポケット（１６）に係合させる、請求項２４に記載の装置。
【請求項２６】
前記折り畳み部材（４０）と前記第１の側壁（１９）とが、互いに他に対してオフセットされた歯（４９、５０）を端部にそれぞれ有し、これら歯が櫛状に係合する、請求項１３から２５までの何れか一項に記載の装置。
【請求項２７】
前記第１の側壁（１９）が、前記第１及び第２の側方部分（４２、４７）の重なり部分と協働する加熱装置（２９）を備えている、請求項１３から２６までの何れか一項に記載の装置。
【手続補正２】
【補正対象書類名】明細書
【補正対象項目名】００１２
【補正方法】変更
【補正の内容】
【００１２】
ロッカーアーム２６は別のアーム３０を備えており、この別のアーム３０は、関連するアーム２５にほぼ垂直にかつ関連する軸線１２に向かって延び、その自由端でピン３１に装着されている。このピン３１は、関連する軸線１０に平行であり、リンク３３の軸線方向スロット３２内を横断方向に摺動する。リンク３３は、軸線２１回りに振動するよう管状アーム１１に装着されている。リンク３３は、軸線２１からロッカーアーム２６に向かって延び、その自由端で、板３４によって構成される一時的部材に装着されている。この一時的部材は、リンク３３に対しほぼ垂直であり、引っ込み休止位置（図６）と前進作業位置（図４）との間をリンク３３と共に振動する。この引っ込み休止位置では、板３４が関連するポケット１６の半径方向内向きに位置決めされる。この前進作業位置では、板３４の前方側面３５が、関連する側壁１９が閉作業位置にあるときに側壁１９の前面２８が占める位置と同一平面上に位置決めされるつつ、板３４が関連するポケット１６内に部分的に位置決めされる。